【手続補正書】
【提出日】平成18年5月25日(2006.5.25)
【手続補正１】
【補正対象書類名】明細書
【補正対象項目名】発明の名称
【補正方法】変更
【補正の内容】
【発明の名称】撮像装置および撮像方法
【手続補正２】
【補正対象書類名】明細書
【補正対象項目名】特許請求の範囲
【補正方法】変更
【補正の内容】
【特許請求の範囲】
【請求項１】  被写体を撮像して動画像データを出力する撮像手段と、
所定期間毎に前記被写体より前記被写体に関する属性情報を前記被写体に対して非接触で検出する属性情報検出手段と、
前記撮像手段が出力する動画像データと前記属性情報検出手段が検出した前記属性情報とを記録媒体に記録する記録手段と
を具備することを特徴とする撮像装置。
【請求項２】  前記記録手段は、前記属性情報検出手段が前記被写体より検出した前記属性情報を、前記属性情報に対応する前記被写体の動画像データに対応付けて前記記録媒体に記録することを特徴とする請求項１に記載の撮像装置。
【請求項３】  前記記録手段は、前記動画像データに含まれる前記所定期間内に記録される複数の画面データの全てに対して、前記所定期間毎に検出された同じ属性情報を付加して前記記録媒体に記録することを特徴とする請求項２に記載の撮像装置。
【請求項４】  前記記録手段は、一連の前記動画像データの記録中に前記属性情報検出手段により検出された属性情報を前記一連の動画像データに対応付けて更に前記記録媒体に記録することを特徴とする請求項２に記載の撮像装置。
【請求項５】  前記記録手段は、前記一連の動画像データを一つのファイルとして前記記録媒体に記録し、更に、前記一連の動画像データの記録中に検出された属性情報を前記ファイルに付加して記録することを特徴とする請求項４に記載の撮像装置。
【請求項６】  前記記録媒体に記録された複数の前記ファイルに付加された前記属性情報に基づき、前記記録媒体に記録された複数のファイルより所望の被写体を示す動画像情報を含むファイルを検索する検索手段を更に具備することを特徴とする請求項５に記載の撮像装置。
【請求項７】  前記検索手段は、前記属性情報に基づき検索したファイルに含まれる動画像データから所望の被写体を含む画面データを更に検索することを特徴とする請求項６に記載の撮像装置。
【請求項８】  前記動画像データを符号化する符号化手段を更に具備し、
前記記録手段は、前記所定期間として前記符号化手段による符号化処理に関連した期間を用いることを特徴とする請求項１に記載の撮像装置。
【請求項９】  前記符号化手段は、画面内符号化処理と画面間符号化処理とを選択的に用いて前記動画像データを符号化し、
前記記録手段は、前記所定期間として前記符号化手段が前記画面内符号化処理を行うタイミングに関連した期間を用いることを特徴とする請求項８に記載の撮像装置。
【請求項１０】  前記符号化手段は、ｎ画面（ｎは２以上の整数）毎に前記画面内符号化処理を行い、
前記記録手段は、前記所定期間として前記ｎ画面の整数倍の期間を用いることを特徴とする請求項８に記載の撮像装置。
【請求項１１】  前記属性情報検出手段は、前記被写体に設けられたＩＤタグチップに対して非接触にて電力を供給して前記ＩＤタグチップから前記属性情報を読み取ることを特徴とする請求項１に記載の撮像装置。
【請求項１２】  動画像と静止画像とを撮影して記録する撮像装置であって、
被写体を撮像して動画像または静止画像の画像データを出力する撮像手段と、
前記被写体より前記被写体に関する属性情報を前記被写体に対して非接触で検出する属性情報検出手段と、
前記撮像手段が出力する前記画像データと前記属性情報検出手段が検出した前記属性情報とを記録媒体に記録する記録手段と、
静止画像を撮影する静止画撮影モードと動画像を撮影する動画撮影モードとを切り替えるモード切り替え手段と、
前記静止画撮影モードにおいて前記静止画像を撮影して記録する場合には、前記静止画像の画面に含まれる前記被写体の属性情報を撮影に同期して検出するよう前記属性情報検出手段を制御して、検出された前記属性情報を前記静止画像の各画面に対応付けて前記記録媒体に記録するよう前記記録手段を制御し、前記動画撮影モードにおいて前記動画像を撮影して記録する場合には、所定期間毎に前記属性情報を検出するよう前記属性情報検出手段を制御し、検出された前記属性情報を前記動画像に対応付けて前記記録媒体に記録するよう前記記録手段を制御する制御手段と
を具備することを特徴とする撮像装置。
【請求項１３】  動画像を撮影して記録する撮像装置を用いた撮像方法であって、
被写体を撮像して動画像データを出力する第１のステップと、
所定期間毎に前記被写体より前記被写体に関する属性情報を前記被写体に対して非接触で検出する第２のステップと、
前記第１のステップで出力する動画像データと前記第２のステップで検出した前記属性情報とを記録媒体に記録する第３のステップと
を有することを特徴とする撮像方法。
【請求項１４】  動画撮影モードにおいて動画像を撮影して記録し、静止画撮影モードにおいて静止画像を撮影して記録する撮像装置を用いた撮像方法であって、
被写体を撮像して動画像データを出力する第１のステップと、
所定期間毎に前記被写体より前記被写体に関する属性情報を前記被写体に対して非接触で検出する第２のステップと、
前記第１のステップで出力する動画像データと前記第２のステップで検出した前記属性情報とを記録媒体に記録する第３のステップと
を有し、
前記静止画撮影モードにおいて前記静止画像を撮影して記録する場合には、前記静止画像の画面に含まれる前記被写体の属性情報を撮影に同期して検出するよう前記第２のステップを制御して、検出された前記属性情報を前記静止画像の各画面に対応付けて前記記録媒体に記録するよう前記第３のステップを制御し、前記動画撮影モードにおいて前記動画像を撮影して記録する場合には、所定期間毎に前記属性情報を検出するよう前記第２のステップを制御し、検出された前記属性情報を前記動画像に対応付けて前記記録媒体に記録するよう前記第３のステップを制御することを特徴とする撮像方法。
【手続補正３】
【補正対象書類名】明細書
【補正対象項目名】０００１
【補正方法】変更
【補正の内容】
【０００１】
【発明の属する技術分野】
本発明は、例えばビデオカメラやデジタルカメラ等である撮像装置およびその撮像方法に関する。
【手続補正４】
【補正対象書類名】明細書
【補正対象項目名】００１３
【補正方法】変更
【補正の内容】
【００１３】
本発明は上記問題点を鑑みてなされたものであり、撮影時にメタデータに被写体情報を埋め込むことを容易に行なうことができる撮像装置、および撮像方法を提供することを目的とする。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】変更
【補正の内容】
【００２２】
これにより、本発明の撮像装置および撮像方法においては、被写体を撮像して動画像データを出力して、所定期間毎に被写体より被写体に関する属性情報を被写体に対して非接触で検出して、出力した動画像データと検出した属性情報とを記録媒体に記録するので、例えば、無線通信を利用して被写体より属性情報（被写体情報）を取得することで、撮影時にメタデータに属性情報（被写体情報）を埋め込むことを容易に行なうことができる。
【手続補正１０】
【補正対象書類名】明細書
【補正対象項目名】００２３
【補正方法】変更
【補正の内容】
【００２３】
また、本発明の撮像装置および撮像方法においては、被写体を撮像して動画像データを出力する処理と、所定期間毎に被写体より被写体に関する属性情報を被写体に対して非接触で検出する処理と、出力した動画像データと検出した属性情報とを記録媒体に記録する処理とを撮像装置に実行させる際に、静止画撮影モードにおいて静止画像を撮影して記録する場合には、静止画像の画面に含まれる被写体の属性情報を撮影に同期して検出するよう制御して、検出された属性情報を静止画像の各画面に対応付けて記録媒体に記録するよう制御し、動画撮影モードにおいて動画像を撮影して記録する場合には、所定期間毎に属性情報を検出するよう制御して、検出された属性情報を動画像に対応付けて記録媒体に記録するよう制御するので、静止画または動画の撮影時に、撮影する画像の種類に応じて最適なタイミングで被写体の無線チップから属性情報（被写体情報）の検出を行い、記録媒体における最適な場所に属性情報（被写体情報）を格納することができる。
【手続補正１１】
【補正対象書類名】明細書
【補正対象項目名】００９９
【補正方法】変更
【補正の内容】
【００９９】
以上、この発明の実施形態について図面を参照して詳述してきたが、具体的な構成はこの実施形態に限られるものではなく、この発明の要旨を逸脱しない範囲の設計等も含まれる。
以上説明したように、本実施形態の撮像装置および撮像方法によれば、被写体を撮像して動画像データを出力して、所定期間毎に被写体より被写体に関する属性情報を被写体に対して非接触で検出して、出力した動画像データと検出した属性情報とを記録媒体に記録するので、例えば、無線通信を利用して被写体より属性情報（被写体情報）を取得することで、撮影時にメタデータに属性情報（被写体情報）を埋め込むことを容易に行なうことができる。
また、本実施形態の撮像装置および撮像方法によれば、静止画・動画の撮影時に、最適なタイミングで被写体の無線チップから被写体情報検出を行い、最適な場所に被写体情報を格納することができる。
更に、本実施形態の撮像装置および撮像方法によれば、メタデータに埋め込まれた被写体情報を有効に活用することができる。
【手続補正１２】
【補正対象書類名】明細書
【補正対象項目名】０１００
【補正方法】変更
【補正の内容】
【０１００】
【発明の効果】
以上説明したように、本発明の撮像装置および撮像方法によれば、撮影時にメタデータに属性情報（被写体情報）を埋め込むことを容易に行なうことができる。